(57)【要約】【課題】  雨水が浸み込み難く、音響特性が劣化することがなく、測定精度を低下させることがない屋外設置用マイクロホン装置を提供する。【解決手段】  音を検出するマイクロホン２と、このマイクロホン２を屋外空間に固定する支持部３とからなる屋外設置用マイクロホン装置１であって、マイクロホン２を覆う略レモン形状の防風スクリーン４を備えた。防風スクリーン４はオープンセル構造ウレタンフォームで構成され、マイクロホン２には防風スクリーン４より目の細かいオープンセル構造ウレタンフォームで構成されたインナーキャップ１２が装着され、防風スクリーン４とインナーキャップ１２の間には空間１３が形成されている。また、マイクロホン２の基部２ａに音圧の反射を防止する音響反射防止手段１５を設けた。【選択図】        図１
2009055311.tif 000002
【特許請求の範囲】
【請求項１】
音を検出するマイクロホンと、このマイクロホンを屋外空間に固定する支持部とからなる屋外設置用マイクロホン装置であって、前記マイクロホンを覆う略レモン形状の防風スクリーンを備えたことを特徴とする屋外設置用マイクロホン装置。
【請求項２】
前記防風スクリーンはオープンセル構造ウレタンフォームで構成され、前記マイクロホンには前記防風スクリーンより目の細かいオープンセル構造ウレタンフォームで構成されたインナーキャップが装着され、前記防風スクリーンと前記インナーキャップの間には隙間が形成されている請求項１記載の屋外設置用マイクロホン装置。
【請求項３】
前記マイクロホンの基部に音圧の反射を防止する音響反射防止手段を設けた請求項１又は２記載の屋外設置用マイクロホン装置。
【請求項４】
前記防風スクリーンに貫通孔を設け、この貫通孔に防風スクリーンより長い棒状部材を嵌挿し固定した請求項１、２又は３記載の屋外設置用マイクロホン装置。
【発明の詳細な説明】
【技術分野】
【０００１】
本発明は、マイクロホンに作用する風圧による雑音や風切り音を防止する屋外設置用マイクロホン装置に関する。
【背景技術】
【０００２】
従来、マイクロホンに作用する風圧による雑音や風切り音を防止するために用いられている防風スクリーンとしては、外形が球形状のオープン発泡ウレタンのスポンジで、雨を避けるためにマイクロホンにナイロン不織布性の耐水布のカバーをかけて二重構造にしたものが知られている（例えば、特許文献１参照）。
また、雨が防風スクリーンに浸み込んで、マイクロホンが濡れるのを防ぐために、防風スクリーンに撥水加工を施したものが知られている（例えば、特許文献２参照）。
更に、鳥対策のために、防風スクリーンの中央部にアンテナを立てたものが市販されている。
【０００３】
【特許文献１】特開平０８−１３０７８７号公報
【特許文献２】特開平１１−２７５６７２号公報
【発明の開示】
【発明が解決しようとする課題】
【０００４】
しかし、従来の球形状のオープン発泡ウレタンのスポンジで形成された防風スクリーンにおいては、次のような問題がある。長期に雨水に濡れると、雨水がスポンジ内部に浸み込んでくる。特に、球面上部は傾斜角度が浅いので、雨水が表面を伝って落ち難く、浸み込み易い。球面上部から浸み込んだ雨水は、スポンジを伝わり、耐水布に浸み込み、更にはマイクロホンを濡らしてしまう。雨水が浸み込んだ耐水布は音響特性が劣化する。防風スクリーンを装着することで、マイクロホンの付け根部分で音圧の反射が発生し、測定の障害となる。
また、防風スクリーンに撥水加工を施しても、短時間の使用には効果を発揮するが、長期に屋外で使う場合には向かないという問題がある。
更に、鳥対策のアンテナを伝って、雨水がしみこむ場合がある。
【０００５】
本発明は、従来の技術が有するこのような問題点に鑑みてなされたものであり、その目的とするところは、雨水が浸み込み難く、音響特性が劣化することがなく、測定精度を低下させることがない屋外設置用マイクロホン装置を提供しようとするものである。
【課題を解決するための手段】
【０００６】
上記課題を解決すべく請求項１に係る発明は、音を検出するマイクロホンと、このマイクロホンを屋外空間に固定する支持部とからなる屋外設置用マイクロホン装置であって、前記マイクロホンを覆う略レモン形状の防風スクリーンを備えたものである。
【０００７】
請求項２に係る発明は、請求項１記載の屋外設置用マイクロホン装置において、前記防風スクリーンはオープンセル構造ウレタンフォームで構成され、前記マイクロホンには前記防風スクリーンより目の細かいオープンセル構造ウレタンフォームで構成されたインナーキャップが装着され、前記防風スクリーンと前記インナーキャップの間には隙間が形成されている。
【０００８】
請求項３に係る発明は、請求項１又は２記載の屋外設置用マイクロホン装置において、前記マイクロホンの基部に音圧の反射を防止する音響反射防止手段を設けたものである。
【０００９】
請求項４に係る発明は、請求項１、２又は３記載の屋外設置用マイクロホン装置において、前記防風スクリーンに貫通孔を設け、この貫通孔に防風スクリーンより長い棒状部材を嵌挿し固定した。
【発明の効果】
【００１０】
請求項１に係る発明によれば、防風スクリーンを略レモン形状とすることで、上部表面の角度が球面に比べて急になり、雨水が表面を伝って落ち易くなる。
【００１１】
請求項２に係る発明によれば、防風スクリーンとインナーキャップの間に隙間を設けることで、雨水がインナーキャップに伝わり難くなり、音響特性も劣化し難くい。
【００１２】
請求項３に係る発明によれば、マイクロホンと防風スクリーンの接合部であるマイクロホンの基部に音響反射防止手段を設けることで、マイクロホンが反射音を採取することが無くなり、測定精度が向上する。
【００１３】
請求項４に係る発明によれば、バードスパイクとして棒状部材を防風スクリーンに通すことで、マイクロホンの設置空間に雨水が浸入し難くなる。
【発明を実施するための最良の形態】
【００１４】
以下に本発明の実施の形態を添付図面に基づいて説明する。ここで、図１は本発明に係る屋外設置用マイクロホン装置の断面図、図２は同じく平面図である。
【００１５】
本発明に係る屋外設置用マイクロホン装置１は、図１に示すように、音を検出するマイクロホン２と、このマイクロホン２を固定する支持部３と、マイクロホン２を覆う防風スクリーン４からなる。防風スクリーン４は、マイクロホン２に作用する風圧による雑音や風切り音を防止し、所定の音響特性を確保するために、オープンセル構造ウレタンフォームで略レモン形状に構成されている。このオープンセル構造ウレタンフォームのセルピッチは、１３個／２５ｍｍである。
【００１６】
略レモン形状に形成された防風スクリーン４の回転対称軸Ｒの方向で、その一端部４ａに開口部５を開け、この開口部５から中心に向かって略円柱形状のマイクロホン２を収めることができる円筒形状の穴６を形成している。この穴６にマイクロホン２が挿入されている。防風スクリーン４の回転対称軸Ｒとマイクロホン２の中心軸は一致している。
【００１７】
また、防風スクリーン４の穴６には、穴６の形状を保持する内枠７が防風スクリーン４の内壁４ｂとマイクロホン２との間に配設されている。内枠７は、リング状のベース部材８から起立する逆Ｕ字状のピアノ線で骨組を形成し、リング状の中間部材（不図示）によって骨組を固定して構成され、マイクロホン２を覆ってその基部２ａに取付けられている。
【００１８】
開口部５を開けた防風スクリーン４の一端部４ａは、円筒形状（長さ２〜３ｃｍ程度）に形成され、防風スクリーン４の内壁４ｂと支持部３の接合部１０から風が入り込み難くしている。防風スクリーン４は、風で飛ばないように固定用ばね１１を介してマイクロホン２の基部２ａに固定されている。マイクロホン２を垂直に設置した場合、防風スクリーン４の他端部４ｃは、傾斜がきついので、雨水が表面を伝わって落下し易いため、雨水が浸み込み難い。
【００１９】
また、マイクロホン２の先端部には、断面が逆Ｕ字状のインナーキャップ１２が取り付けられている。このインナーキャップ１２は、防風スクリーン４より目が細かく、オープンセル構造ウレタンフォームで構成されている。このオープンセル構造ウレタンフォームのセルピッチは、２０個／２５ｍｍである。ナイロン不織布と比べて音響的な劣化が少ない。防風スクリーン４の内壁４ｂとインナーキャップ１２の間には、十分な空間（隙間）１３が設けられている。インナーキャップ１２の形状は、上述のように内枠７に沿った形状をしているが、略レモン形状にすることもできる。
【００２０】
防風スクリーン４の内壁４ｂとインナーキャップ１２の間に十分な空間１３があるので、防風スクリーン４に浸み込んだ雨水がインナーキャップ１２に伝わり難い。雨水がインナーキャップ１２に垂れた場合にも、インナーキャップ１２が目の細かいウレタンフォームを使っているので、雨水はインナーキャップ１２の表面を伝わって落下し易い。防風スクリーン４とインナーキャップ１２のセルピッチは、本発明の実施の形態の値に限らず、寸法・形状により最適なものを選択すればよい。
【００２１】
インナーキャップ１２に比べて防風スクリーン４の方が音の通過距離が長いので、防風スクリーン４には目の粗いもの、インナーキャップ１２には目の細かいものを選択し、それらを組み合わせて用いることで、十分な防風・防雨の効果を得つつ、音響的な劣化を小さくできる。
【００２２】
また、マイクロホン２の基部２ａには、マイクロホン２の先端に向かって徐々に細くなると共に、外周面になだらかな傾斜を有する略円筒形状の音響反射防止手段１５が設置されている。このようななだらかな傾斜を設けることで、防風スクリーン４の内壁４ａと支持部３の接合部１０で反射する音圧がマイクロホン２の方向へ向かい難くなる。また、音響反射防止手段１５を設ける代わりに、グラスウールなど吸音効果のある部材を接合部１０近傍に配置することで反射を防いでもよい。
【００２３】
更に、防風スクリーン４に、その回転対称軸Ｒと平行でマイクロホン２の周囲に等間隔に貫通孔１６を３つ開け、これらの貫通孔１６に防風スクリーン４より長い樹脂製の棒状部材１７を嵌挿し固定している。棒状部材１７はバードスパイクとして働く。棒状部材１７の本数は、３本に限られない。また、棒状部材１７の両端には、棒状部材１７が防風スクリーン４から脱落しないようにビーズ１８が装着されている。棒状部材１７は防風スクリーン４に貫通して取り付けられているので、棒状部材１７を伝わって浸み込んだ雨水は棒状部材１７を伝わって外部に排出され易い。
【００２４】
以上のように構成した本発明に係る屋外設置用マイクロホン装置１の動作について説明する。防風スクリーン４を略レモン形状とすることで、他端部４ｃの表面の角度が球面に比べて急になり、雨水が表面を伝って落ち易くなる。また、防風スクリーン４とインナーキャップ１２の間に十分な空間１３を設けることで、雨水がインナーキャップ１２に伝わり難くなり、音響特性も劣化し難くい。
【００２５】
マイクロホン２と防風スクリーン４の接合部１０であるマイクロホン２の基部２ａに、音響反射防止手段１５を設けることで、マイクロホン２が反射音を採取することが無くなり、測定精度が向上する。バードスパイクとして棒状部材１７を防風スクリーン４に通すことで、マイクロホン２の設置空間に雨水が浸入し難くなる。
【産業上の利用可能性】
【００２６】
本発明によれば、防風スクリーンを略レモン形状とすること、防風スクリーンとインナーキャップの間に隙間を設けること、マイクロホンの基部に音響反射防止手段を設けること、棒状部材を防風スクリーンに通すことなどにより、雨水が浸み込み難く、音響特性が劣化することがなく、測定精度を低下させることがない屋外設置用マイクロホン装置を提供することができる。
【図面の簡単な説明】
【００２７】
【図１】本発明に係る屋外設置用マイクロホン装置の断面図
【図２】本発明に係る屋外設置用マイクロホン装置の平面図
【符号の説明】
【００２８】
１…屋外設置用マイクロホン装置、２…マイクロホン、２ａ…基部、３…支持部、４…防風スクリーン、１２…インナーキャップ、１３…空間（隙間）、１５…音響反射防止手段、１６…貫通孔、１７…棒状部材。
【図１】
2009055311.tif 000003
【図２】
2009055311.tif 000004